(57)【要約】【課題】タイムレコーダの挿入方向の適正を指示可能なタイムレコーダシステムを提供する。【解決手段】タイムレコーダシステムは、タイムレコーダ１０と複数のタイムカード１００とで構成され、タイムレコーダ１０は、挿入されたタイムカード１００の表面か裏面かを判定する。タイムレコーダ１０がカード挿入口１２に挿入されたタイムカード１００の表裏判断をすると、ＬＥＤ１、２の何れかを発光させ、シールＳ１を浮き立たせて、挿入されたタイムカード１００が表面であるか、裏面であるかを示す。【選択図】  図１
2006285340.tif 000002
【特許請求の範囲】
【請求項１】
タイムレコーダと複数のタイムカードとで構成されるタイムレコーダシステムにおいて、前記タイムレコーダに、該カード挿入口に挿入された前記タイムカードの表面か裏面かを判定する判定手段を設け、前記タイムレコーダの表面に発光部を設け、該発光部に前記タイムカードの表面・裏面を示す標識部を設け、前記判定手段が前記カード挿入口に挿入されたカードの表裏判断をして前記発光部を発光させ、前記標識部により前記タイムカードの表面・裏面を示すことを特徴とするタイムレコーダシステム。
【請求項２】
請求項１のタイムレコーダシステムにおいて、前記タイムカードの少なくとも表面若しくは裏面に、前記タイムレコーダの標識部と対応してタイムカードの挿入方向の適正を示すための識別部を設けたことを特徴とするタイムレコーダシステム。
【請求項３】
請求項２のタイムレコーダシステムにおいて、前記タイムカードの印字面の色を前記発光部の発行時の色彩と同じ色彩としたことを特徴とするタイムレコーダシステム。
【発明の詳細な説明】
【技術分野】
【０００１】
本発明は、タイムレコーダとタイムカードからなるタイムレコーダシステムに関し、更に詳しくは、ユーザーの使い易さを向上させたタイムレコーダシステムに関する。
【背景技術】
【０００２】
従来、タイムレコーダシステムでは、タイムレコーダにカード挿入口に、出勤或いは退勤するユーザーがタイムカードを挿入すると、出勤時刻や退勤時刻が印字されるようになっており、タイムカードの表裏面がタイムレコーダ側の要求する面と異なる場合には、「Ｅ−０１」等のエラーメッセージが表示されるようになっている。例えば、月初めに新しいタイムカードを挿入する場合には、タイムカードの表面側をユーザー側に向けてタイムレコーダ挿入口に挿入することとされているが、当該新しいタイムカードの裏面側をユーザー側に向けて挿入してしまった場合には、印字面が適正でないので、上記のエラーメッセージが液晶表示面に表示されるようになっている。
【特許文献１】特開平８−２３５３９９号公報
【発明の開示】
【発明が解決しようとする課題】
【０００３】
しかしながら、月の初めではなく月の途中から締め日の初日が始まる職場では、新しいタイムカードを挿入する場合に、表裏どちらに印字すべきであるか迷って、適正でない面側をユーザー側に向けてタイムカード挿入口に挿入してしまうことがある。このような場合、タイムレコーダは液晶表示面に「Ｅ−０１」等のエラー表示をするが、不慣れなユーザーにとってはこのようなエラー表示が何を意味するのか理解できない場合がある。
【０００４】
そこで、液晶表示面により判り易いエラー表示を、例えば、「カードの表裏面を交換して下さい。」等の表示とすることも考えられるが、このような表示方法を採るためには、各種の文字を自在に表示可能な液晶表示部や表示プログラム或いは辞書等が必要であり、コストが高くなる問題がある。また、このようなエラー表示は新機種のタイムレコーダの設置時に起こり易いものであるが、使用方法の知識が普及すると、このようなエラー表示への戸惑いも少なくなるというのが通常である。
【０００５】
本発明は、このような問題に着目してなされたものであり、カードの挿入面の相異を低コストの機構で判り易く知らせることが出来るタイムレコーダシステムを提供することを目的とする。
【課題を解決するための手段】
【０００６】
上記課題を解決するために、本発明の請求項１のタイムレコーダシステムは、
タイムレコーダと複数のタイムカードとで構成されるタイムレコーダシステムにおいて、前記タイムレコーダに、該カード挿入口に挿入された前記タイムカードの表面か裏面かを判定する判定手段を設け、前記タイムレコーダの表面に発光部を設け、該発光部に前記タイムカードの表面・裏面を示す標識部を設け、前記判定手段が前記カード挿入口に挿入されたカードの表裏判断をして前記発光部を発光させ、前記標識部により前記タイムカードの表面・裏面を示すことを特徴とする。
【０００７】
本願の請求項２のタイムレコーダシステムは、請求項１のタイムレコーダシステムにおいて、前記タイムカードの少なくとも表面若しくは裏面に、前記タイムレコーダの標識部と対応してタイムカードの挿入方向の適正を示すための識別部を設けたことを特徴とするタイムレコーダシステム。
【０００８】
本願の請求項３のタイムレコーダシステムは、請求項２のタイムレコーダシステムにおいて、前記タイムカードの印字面の色を前記発光部の発行時の色彩と同じ色彩としたことを特徴とするタイムレコーダシステム。
【発明の効果】
【０００９】
本願の請求項１のタイムレコーダシステムによれば、タイムカードがカード挿入口に挿入されたときに、判定手段がカードの表裏を判定し、その結果が発光部に設けた標識部により表示され、挿入したカードの表裏を目視でき、低コストな機構で容易にカードの挿入方向が適正かどうかを判断できる。
【００１０】
本願の請求項２のタイムレコーダシステムによれば、タイムカードがカード挿入口に挿入されたときに、判定手段がカードの表裏を判定し、挿入方向が適正かどうかが識別部により表示され、タイムレコーダがカードの挿入方向の適正を判断して表示する。
【００１１】
本願の請求項３のタイムレコーダシステムによれば、タイムカードがカード挿入口に挿入されたときに、カードの印字面の色と同じ色彩で発光部が発光するので、カードの挿入方向を容易に判断できる。
【発明を実施するための最良の形態】
【００１２】
以下、本発明の実施の形態にかかるタイムレコーダシステムを図面に基づいて説明する。図１（ａ）に示すように、タイムレコーダ１０の本体１１の上面にはタイムカード１００（図３参照）を挿入するカード挿入口１２が設けられている。本体１１の前面の上部には時刻などを表示するＬＥＤ表示部１４が設けられている。本体１１の前面の中間部には、３交代制の早番、遅番、夜勤等の勤務時間帯を選択する選択キースイッチＫ１と、出勤キースイッチＫ２と、日付の一括印字（日付表示）を行うための実行ボタンＫ３等が設けられている。
【００１３】
タイムレコーダ１０の本体１１内には、カード挿入口１２に挿入されたタイムカード１００を検知するカード挿入検知センサ１５（図２参照）と、後述するカード送りモータ２６によるタイムカード１００の送り量を検出するためのカード位置検出センサ１６と、タイムカード１００のＩＤコードを読み取るカードＩＤコード読取り部１７と、エラー時に警告音を発するブザー１８等とが設けられている。
【００１４】
カードＩＤコード読取り部１７は、複数個のインタラプタで構成され、図３のパンチ穴１０１（光透過孔）の開口されたタイムカード１００の引き込み時に、パンチ穴１０１の通過光によってビット情報を検出する。カードＩＤコード読取り部１７で検出したビット情報によって構成されるカードＩＤコード（所定の識別コード）はＣＰＵ２０でタイムカード１００のＩＤデータとされる。
【００１５】
カード挿入口１２の近傍には、タイムカード１００の挿入方向を発光により示すＬＥＤ１とＬＥＤ２が表裏判別用の発光部として設けられている。図１（ｂ）に示すように、ＬＥＤ１には「表面」という文字が記入されたシールＳ１が標識部として貼られており、ＬＥＤ２には「裏面」という文字が記入されたシールＳ２が標識部として貼られている。
【００１６】
図２はタイムレコーダ１０の制御系の構成を示したブロック図である。図２において、２０はＣＰＵ（制御手段）、２１は時計ＩＣ、２２はＲＯＭ、２３はＲＡＭである。ＣＰＵ２０は、時計ＩＣ２１から時刻情報を読み込んで表示駆動回路２４を駆動してＬＥＤ表示部１４に時刻や曜日や日付等を表示する。
【００１７】
また、選択キースイッチＫ１の操作によって早番、遅番、夜勤等の中から当日の自分の勤務時間帯を選択すると、その勤務時間帯を示す数字或いはマーク或いは文字と、これらの数字、マーク、文字に対応した勤務時間帯がＬＥＤ表示部１４に表示される。
【００１８】
ＣＰＵ２０は、カード位置検出センサ１６からの送り情報に基づいてモータ駆動回路２５を制御してカード送りモータ２６を正逆両方向へ回転駆動することにより、タイムカード１００の引込や排出を行う。また、印字ヘッド駆動回路２７を制御して印字ヘッド２８によりタイムカード１００へ印字する。
【００１９】
２９はＵＳＢインタフェース、３０はメモリカードリーダ／ライタであり、ケーブル接続したコンピュータまたはメモリカードスロットへ挿入したメモリカードにＲＡＭ内のデータを転送したり、ＲＡＭにデータの書き込みをしたりすることができる。
【００２０】
ＲＯＭ２２（ＥＥＰＲＯＭ）には、タイムレコーダ制御プログラムと、個人別の月間スケジュールの勤務時間帯を示す予定シフトや、各シフト番号に対応したＬＳＴ（日付変更時刻）が書換可能に記憶されている。ＲＯＭ２２のタイムレコーダ制御プログラムは、カード駆動および時刻印字と時間集計を行う機能に加えて、ＲＯＭ２２に書き込まれた個人別の月間スケジュールの勤務時間帯に応じて日付変更時刻を切り換える機能を有するとともに、その勤務時間帯である勤務体系を示す数字をタイムカード１００に印字する機能を備えている。
【００２１】
ＲＡＭ２３には、ＲＯＭ２２のタイムレコーダ制御プログラムが読み出されたり、タイムレコーダ１０の制御に用いられるデータや、タイムカード１００への印字動作や日付の変更その他の日によって変わるデータが一時的に記憶される。
【００２２】
この実施の形態のタイムレコーダシステムは、タイムレコーダ１０と複数のタイムカード１００とで構成され、タイムレコーダ１０は、タイムカード１００の左又は右に形成されたパンチ穴１０１の個数により、カード挿入口１２に挿入されたタイムカード１００の表面か裏面かを判定する。勿論、タイムカード１００の角部や縁部に切欠きを設け、タイムレコーダ１０ではこの切欠きでタイムカード１００の表面と裏面の違いを判別しても良い。
【００２３】
図３に示すように、タイムカード１００の左右の側縁部には、個数の異なるパンチ穴１０１が形成されている。例えば、タイムカード１００の一方の側縁部に形成されたパンチ穴１０１は例えば５箇所開口され、タイムカード１００の他方の側縁部に形成されたパンチ穴１０１は８箇所開口されている。このため、これらのパンチ穴１０１の検出信号はタイムレコーダ１０の右側と左側では個数が異なる。これらの受光素子（インタラプタ）の検出信号がＣＰＵ２０の入出力ポートに入ると、ＣＰＵ２０のＲＯＭ２２に記憶されたタイムレコーダ制御プログラムの表裏判別プログラムは判定手段としてタイムカード１００の左右を判別出来る。
【００２４】
ＣＰＵ２０の表裏判別プログラムは、カード挿入口１２に挿入されたタイムカード１００の表裏判断をすると、ＬＥＤ１、２の何れかを発光させ、シールＳ１、Ｓ２を浮き立たせて、挿入されたタイムカード１００が表面であるか裏面であるかを示す。ここで、タイムカード１００が表面であるということは、タイムカード１００の印字面がユーザーの目に向けられ、タイムレコーダ１０の時計面とタイムカード１００の印字面とがユーザー側から同時に目視されるように向けられていることを意味する。
【００２５】
タイムカード１００の表面及び裏面には、タイムレコーダ１０の標識部であるシールＳ１、Ｓ２と対応してタイムカード１００の挿入方向の適正を示すための識別部１０２、１０３が設けられている。識別部１０２は、タイムカード１００の一方の面に表示された青色の印字面で構成され、識別部１０３は、タイムカード１００の他方の面に表示された赤色の印字面で構成されている。
【００２６】
タイムカード１００の表面側（青色）をユーザー側に向けて挿入するのが適正とされる場合、タイムカード１００の識別部１０２が青色であるときに、タイムレコーダ１０の青色のＬＥＤ１が発光すれば、タイムカード１００の挿入方向が適正であったことが判る。また、タイムカード１００の識別部１０２が青色であるにも拘わらず、タイムレコーダ１０の赤色のＬＥＤ２が発光すれば、月間の締め日の中間日が経過している等により、タイムカード１００の挿入方向が不適正であったことが判る。よって、タイムカード１００の表裏を変えて再度挿入すると、適正な印字面に出勤時刻や退勤時刻等が印字される。
【００２７】
このシステムでは、タイムカード１００がカード挿入口１２に挿入されたときに、ＣＰＵ２０の表裏判別プログラムがタイムカード１００の表裏を判定し、その結果ＬＥＤが発光してＬＥＤに貼り付けられたシールの文字「表面」若しくは「裏面」を表示するので、低コストな機構でありながら、ユーザーはタイムカード１００の挿入方向が適正かどうかを容易に判断できる。
【００２８】
また、タイムカード１００がカード挿入口１２に挿入されたときに、表裏判別プログラムがタイムカード１００の表裏を判定し、挿入方向が適正かどうかをシールＳ１、Ｓ２の文字を浮かび上がらせて表示されると、より一層確認が容易である。更に、タイムカード１００の印字面の色と同じ色彩でＬＥＤ１、ＬＥＤ２を発光させると、タイムカード１００の挿入方向はより容易に判断しやすくなる。
【図面の簡単な説明】
【００２９】
【図１】本発明の実施の形態にかかるタイムレコーダの斜視図。
【図２】図１のタイムレコーダのブロック図。
【図３】図１のタイムレコーダの設定事項印字カードとなるタイムカード１００の図。
【符号の説明】
【００３０】
１０    タイムレコーダ
２０    ＣＰＵ
ＬＥＤ１、ＬＥＤ２  発光部
Ｓ１、Ｓ２     標識部
【図１】
2006285340.tif 000003
【図２】
2006285340.tif 000004
【図３】
2006285340.tif 000005